(57)【要約】【課題】プリズムシートの光効率及び視野角特性を向上させることができるプリズムシートおよびこれを用いるバックライトユニットを提供する。【解決手段】入射される光を透過させる集光フィルムと、該集光フィルム上に頂点を持つように形成された複数のプリズム山と、隣接するプリズム山の境界と対向するように集光フィルムに形成され、入射される光を反射させる複数の反射パターンと、を備える。【選択図】図５
2007011264.tif 000002
【特許請求の範囲】
【請求項１】
入射される光を透過させる集光フィルムと、
前記集光フィルム上に頂点を持つように形成された複数のプリズム山と、
前記隣接するプリズム山の境界と対向するように前記集光フィルムに形成され、入射される光を反射させる複数の反射パターンと
を備えることを特徴とするプリズムシート。
【請求項２】
前記プリズム山は、縞状またはピラミッド状に形成されることを特徴とする請求項１に記載のプリズムシート。
【請求項３】
前記各反射パターンは、前記集光フィルムの上面または背面に形成されることを特徴とする請求項１に記載のプリズムシート。
【請求項４】
前記反射パターンは、縞状及びマトリクス状に形成されることを特徴とする請求項３に記載のプリズムシート。
【請求項５】
前記各反射パターンは、酸化チタン（ＴｉＯ２）または酸化マグネシウム（ＭｇＯ）のいずれか一つから形成されることを特徴とする請求項１に記載のプリズムシート。
【請求項６】
光を発する少なくとも一つのランプと、
前記ランプからの光を受光して光の進行方向を垂直に変換する導光板と、
前記導光板を経由した光を集光するプリズムシートと
を備え、
前記プリズムシートは、
前記導光板を経由した光を透過させる集光フィルムと、
前記集光フィルム上に頂点を持つように形成された複数のプリズム山と、
前記隣接するプリズム山の境界と対向するように前記集光フィルムに形成され、入射される光を反射させる複数の反射パターンと
を備えることを特徴とするバックライトユニット。
【請求項７】
前記ランプは、前記導光板の一側面または両側面に配置されることを特徴とする請求項６に記載のバックライトユニット。
【請求項８】
前記導光板の入射面と前記ランプを取り囲むように前記導光板の一側面または両側面に配置されるランプハウジングと、
前記導光板と前記プリズムシートとの間に配置され、前記導光板を経由した光を拡散させる拡散シートと、
前記導光板の下面に配置される反射板と
をさらに備えることを特徴とする請求項６に記載のバックライトユニット。
【請求項９】
光を発する複数のランプと、
前記複数のランプを支持及び収納するボトムカバーと、
前記ボトムカバーの上面を覆い、前記複数のランプからの光を拡散させる拡散板と、
前記拡散板を経由した光を集光するプリズムシートと
を備え、
前記プリズムシートは、
前記拡散板を経由した光を透過させる集光フィルムと、
前記集光フィルム上に頂点を持つように形成された複数のプリズム山と、
前記隣接するプリズム山の境界と対向するように前記集光フィルムに形成され、入射される光を反射させる複数の反射パターンと
を備えることを特徴とするバックライトユニット。
【請求項１０】
前記プリズム山は、縞状またはピラミッド状に形成されることを特徴とする請求項６または９に記載のバックライトユニット。
【請求項１１】
前記各反射パターンは、前記集光フィルムの上面または背面に形成されることを特徴とする請求項６または９に記載のバックライトユニット。
【請求項１２】
前記反射パターンは、縞状及びマトリクス状に形成されることを特徴とする請求項１１に記載のバックライトユニット。
【請求項１３】
前記各反射パターンは、酸化チタン（ＴｉＯ２）または酸化マグネシウム（ＭｇＯ）のいずれか一つから形成されることを特徴とする請求項６または９に記載のバックライトユニット。
【発明の詳細な説明】
【技術分野】
【０００１】
本発明は、プリズムシート及びこれを用いたバックライトユニットに関し、特にプリズムシートの光効率及び視野角特性を向上させることができるプリズムシート及びこれを用いたバックライトユニットに関する。
【背景技術】
【０００２】
近来、陰極線管（Cathode Ray Tube）の短所とされる重さと体積を減らすことのできる各種平板表示装置の開発が進められている。かかる平板表示装置には、液晶表示装置（ＬＣＤ：Liquid Crystal Display）、電界放出表示装置（ＦＥＤ：Field Emission Display）、プラズマ表示パネル（ＰＤＰ：Plasma Display Panel）及び発光表示装置（ＬＥＤ：Light Emitting Display）などがある。
【０００３】
その中で、液晶表示装置は、複数の液晶セルと、これら液晶セルのそれぞれに供給されるビデオ信号を切り替えるための複数の制御用スイッチとで構成された液晶パネルにより、バックライトユニット（Back Light Unit）から照射される光ビームの透過量が調節され、これにより、所望の画像を表示する。
【０００４】
図１は、従来技術によるバックライトユニットを示す図である。
【０００５】
図１を参照すると、従来技術によるバックライトユニットは、光を発するランプ１０と、ランプ１０から発せられた光を入射面２２を介して受光して側面から出射する導光板２０と、導光板２０の入射面２２及びランプ１０を取り囲むように設置されるランプハウジング１２と、導光板２０の下面に配置される反射板３０と、導光板２０上に配置され、導光板２０を経由した光を拡散させる拡散シート４０と、拡散シート４０を経由した光の進行方向を調節するプリズムシート５０と、を備えてなる。
【０００６】
ランプ１０は、通常、冷陰極蛍光ランプを使用する。このランプ１０は、インバータ（図示せず）からのランプ駆動電圧で点灯され、導光板２０の側面にある入射面２２に光を照射する。
【０００７】
ランプハウジング１２は、ランプ１０及び導光板２０の入射面２２を取り囲むように導光板２０の側面に設置される。このランプハウジング１２は、内面に反射面が形成されており、ランプ１０からの光を導光板２０の入射面２２側に反射させる役割を担う。
【０００８】
導光板２０は、ランプ１０から入射された光が、ランプ１０から遠く離れた箇所まで至るようにするとともに、入射される光を拡散シート４０側に導く。すなわち、導光板２０の下面に印刷式パターンが形成されており、入射面２２からの光が、傾斜した背面から所定の傾斜角で反射され拡散シート４０側に均一に進むようになる。
【０００９】
反射板３０は、導光板２０の下面に配置され、導光板２０の背面を通って反射板自体に入射される光を導光板２０側に再反射させることによって、光損失を減らす役割を担う。
【００１０】
拡散シート４０は、導光板２０を経由した光を全領域に拡散させ、第１プリズムシート５０に照射する。
【００１１】
プリズムシート５０は、拡散シート４０を経由した光を集光する役割を担う。このため、プリズムシート５０は、図２に示すように、ポリエステル（Poly-ester：ＰＥＴ）の材質からなる集光フィルム５２と、集光フィルム５２の上面に縞状に形成されたプリズム山５４と、を備える。
【００１２】
プリズム山５４は、頂点から所定の角度で傾斜した第１及び第２傾斜面を有する。ここで、第１及び第２傾斜面のそれぞれは、集光フィルム５２の上面から約４５゜で傾斜するように形成される。
【００１３】
このように構成されるプリズムシート５０において、屈折率がｎ１の集光フィルム５２に所定角度θ１で入射される入射光は、下記の数式１で示されるスネル法則（snell's law）によりプリズム山５４から所定角度θ２で屈折し、屈折率がｎ２の外部に出射される。
【００１４】
【数１】
2007011264.tif 000003
【００１５】
このように、上記の従来技術によるバックライトユニットは、ランプ１０から発された光を、導光板２０を介して導光板２０の上部に配置された拡散シート４０側に導き、導光板２０を経由した光を拡散シート４０で全領域に拡散させた後に、プリズムシート５０で集光して外部に出射させる。
【００１６】
しかしながら、かかる従来技術によるバックライトユニットにおいて、プリズムシート５０に入射された光は、図３に示すように、３領域、すなわち全反射領域、集光領域及びサイドローブ（Side Lobe）領域に分離される。
【００１７】
具体的に、集光フィルム５２に垂直に入射される全反射領域の光Ａは、プリズム山５４の第１及び第２傾斜面により全反射され、再び導光板２０に進行することによってリサイクル（Recycling）されながら集光される。
【００１８】
また、集光フィルム５２に所定の角度で入射される集光領域の光Ｂは、プリズム山５４の第１及び第２傾斜面により、屈折して集光される。
【００１９】
そして、集光フィルム５２に所定の角度で入射されるサイドローブ領域の光Ｃは、プリズム山５４の第１及び第２傾斜面により全反射され、光の効率を低下させ、かつ、視野角特性を低下させる。
【００２０】
このためプリズムシート５０は、サイドローブによって図４に示すように、対称点を中心に両側面に明るい領域が存在する。
【発明の開示】
【発明が解決しようとする課題】
【００２１】
その結果、従来技術によるバックライトユニットは、プリズムシート５０の構造上、輝度非対称による視野角非対称性及びサイドローブによる光効率の低下という問題点があった。
【００２２】
本発明はかかる問題点を解決するためになされたものであり、光効率及び視野角特性を向上させることができるプリズムシート及びこれを用いるバックライトユニットを提供することを目的としている。
【課題を解決するための手段】
【００２３】
上記目的を達成するために、本発明に係るプリズムシートは、入射される光を透過させる集光フィルムと、前記集光フィルム上に頂点を持つように形成された複数のプリズム山と、前記隣接するプリズム山の境界と対向するように前記集光フィルムに形成され、入射される光を反射させる複数の反射パターンと、を備えることを特徴とするプリズムシートである。
【００２４】
本発明によるバックライトユニットは、光を発する少なくとも一つのランプと、前記ランプからの光を受光して光の進行方向を垂直に変換する導光板と、前記導光板を経由した光を集光するプリズムシートと、を備え；前記プリズムシートは、前記導光板を経由した光を透過させる集光フィルムと、前記集光フィルム上に頂点を持つように形成された複数のプリズム山と、前記隣接するプリズム山の境界と対向するように前記集光フィルムに形成され、入射される光を反射させる複数の反射パターンと、を備えることを特徴とする。
【００２５】
本発明によるバックライトユニットは、光を発する複数のランプと、前記複数のランプを支持及び収納するボトムカバーと、前記ボトムカバーの上面を覆い、前記複数のランプからの光を拡散させる拡散板と、前記拡散板を経由した光を集光するプリズムシートと、を備え；前記プリズムシートは、前記拡散板を経由した光を透過させる集光フィルムと、前記集光フィルム上に頂点を持つように形成された複数のプリズム山と、前記隣接するプリズム山の境界と対向するように前記集光フィルムに形成され、入射される光を反射させる複数の反射パターンと、を備えることを特徴とする。
【発明の効果】
【００２６】
本発明によるプリズムシート及びこれを用いるバックライトユニットは、複数のプリズム山が形成された集光フィルムの上面または背面に各プリズム谷に対向するように反射パターンを形成するため、サイドローブ領域の光を除去し光漏れ現象を防止するとともに、光の集光効率及び輝度対称性を向上させ、視野角を向上させることができる。
【発明を実施するための最良の形態】
【００２７】
以下、添付の図面に基づき、本発明に係るプリズムシート及びこれを用いるバックライトユニットについて詳細に説明する。
【００２８】
実施の形態１．
図５は、本発明の実施の形態１によるプリズムシートを示す図で、図６は、光の進行方向を示す図５のＩ−Ｉ'線断面図である。
【００２９】
図５及び図６を参照すると、本発明の実施形態によるプリズムシートは、背面から光が入射される集光フィルム１５２と、集光フィルム１５２上に頂点を持つように縞状に並んで形成された複数のプリズム山１５４と、隣接するプリズム山１５４との境界（プリズム谷）に対応するように集光フィルム１５２に形成された複数の反射パターン１５６と、を備える。
【００３０】
ここで、集光フィルム１５２は、ポリエステル（Poly-ester：ＰＥＴ）などの透明な材質からなる。
【００３１】
また、各プリズム山１５４は、頂点から所定の角度で傾斜した第１及び第２傾斜面を持つ。ここで、第１及び第２傾斜面のそれぞれは、集光フィルム１５２の上面から約４５゜傾斜するように形成される。
【００３２】
また、各反射パターン１５６は、矩形断面を有し、隣接するプリズム山１５４の第１及び第２傾斜面が接する境界、すなわちプリズム谷に並ぶように集光フィルム１５２上に縞状に形成される。
【００３３】
ここで、各反射パターン１５６は、入射される光を反射させるために、反射物質を含む酸化チタン（ＴｉＯ２）または酸化マグネシウム（ＭｇＯ）などの材質から形成される。
【００３４】
これら各反射パターン１５６の位置は、集光フィルム１５２の屈折率とプリズム山１５４の角度によって変わることがあり、好ましくは、中心部分の位置がプリズム谷部分に対向するように形成される。
【００３５】
また、これら各反射パターン１５６の幅及び厚さは、集光フィルム１５２の厚さ、プリズム山１５４の角度及び屈折率、望む出射光の角分布によって異なってくる。
【００３６】
このように構成される本発明の実施の形態１によるプリズムシートは、図６に示すように、３領域、すなわち全反射領域、集光領域及びサイドローブ（Side Lobe）領域に区分される。
【００３７】
具体的に、集光フィルム１５２に垂直に入射される全反射領域の光Ａは、プリズム山１５４の第１及び第２傾斜面により下面に全反射され、リサイクルリング（Recycling）されながら集光される。
【００３８】
また、集光フィルム１５２に所定の角度で入射される集光領域の光Ｂは、プリズム山１５４の第１及び第２傾斜面により屈折し、集光されて出射される。
【００３９】
そして、集光フィルム１５２に所定の角度で入射されてサイドローブ領域に進行する光Ｃは、各反射パターン１５６により下面に全反射され、再び集光領域の光Ｂとしてリサイクルされながら集光される。
【００４０】
このように構成される本発明の実施の形態１によるプリズムシートは、サイドローブ領域に進行する光Ｃ、すなわち光漏れを生じさせる光が透過す
る集光フィルム１５２上に反射パターン１５６を形成することによって、サイドローブ領域の光Ｃを除去して光漏れ現象を防止するとともに、光の集光効率及び輝度対称性を向上させ、視野角を向上させることができる。
【００４１】
また、本発明の実施の形態１によるプリズムシートは、複数の反射パターン１５６を集光フィルム１５２の上面に形成することによって、機械的耐久性を強化させながらサイドローブ領域の形成を防止する反射領域を提供し、光効率を向上させることができる。
【００４２】
実施の形態２．
図７は、本発明の実施の形態２によるプリズムシートを示す図で、図８は、光の進行方向を示す図７のＩＩ−ＩＩ'線断面図である。
【００４３】
図７及び図８を参照すると、本発明の実施の形態２によるプリズムシートは、背面から光が入射される集光フィルム２５２と、集光フィルム２５２上に頂点を持つように縞状に並んで形成された複数のプリズム山２５４と、隣接するプリズム山２５４の境界（プリズム谷）に対応するように集光フィルム２５２の背面に形成された複数の反射パターン２５６と、を備える。
【００４４】
このように構成される本発明の実施の形態２によるプリズムシートは、複数の反射パターン２５６が集光フィルム２５２の背面に形成されている点以外は、図５に示す本発明の実施の形態１と同様に構成される。
【００４５】
したがって、本発明の実施の形態２によるプリズムシートは、図８に示すように、サイドローブ領域に進行する光Ｃ、すなわち光漏れを生じさせる光が透過される集光フィルム２５２の背面に反射パターン２５６を形成することによって、サイドローブ領域の光Ｃを除去し光漏れ現象を防止するとともに、光の集光効率及び輝度対称性を向上させ、視野角を向上させることができる。
【００４６】
実施の形態３．
図９は、本発明の実施の形態３によるプリズムシートを示す斜視図で、図１０は、本発明の実施の形態３によるプリズムシートを示す平面図である。
【００４７】
図９及び図１０を参照すると、本発明の実施の形態３によるプリズムシートは、背面から光が入射される集光フィルム３５２と、集光フィルム３５２上にピラミッド状に形成された複数のプリズム山３５４と、隣接するプリズム山３５４の境界（プリズム谷）に対応するように集光フィルム３５２に形成された複数の反射パターン３５６と、を備える。
【００４８】
集光フィルム３５２は、ポリエステルなどの透明な材質からなる。
【００４９】
各プリズム山３５４は、集光フィルム３５２の上面にマトリクス状に配列され、集光フィルム３５２の上面から約４５゜傾いた傾斜面を持つピラミッド状に形成される。
【００５０】
各反射パターン３５６は、隣接するプリズム山３５４の境界、すなわちプリズム谷に並んで集光フィルム１５２上に矩形断面を有するように縞状に形成される。
【００５１】
すなわち、各反射パターン３５６は、図１０に示すように、集光フィルム３５２の第１方向（Ｙ軸）に並んで形成され、プリズム谷に対向する第１反射パターン３５６ａと、集光フィルム３５２の第１方向と交差する第２方向（Ｘ軸）に並んで形成され、プリズム谷に対向する第２反射パターン３５６ｂと、を有する。
【００５２】
このような各反射パターン３５６は、入射される光を反射させるために、反射物質を含む酸化チタン（ＴｉＯ２）または酸化マグネシウム（ＭｇＯ）などの材質から形成される。
【００５３】
このように構成される本発明の実施の形態３によるプリズムシートは、図１１に示すように、３領域、すなわち全反射領域、集光領域及びサイドローブ領域に分けられる。
【００５４】
具体的に、集光フィルム３５２に垂直に入射される全反射領域の光Ａは、プリズム山３５４の傾斜面によって下面に全反射され、リサイクルされながら集光される。
【００５５】
また、集光フィルム３５２に所定の角度で入射される集光領域の光Ｂは、プリズム山３５４の傾斜面により屈折し、集光されて出射される。
【００５６】
そして、集光フィルム３５２に所定の角度で入射されてサイドローブ領域に進行する光Ｃは、各反射パターン３５６によって下面に全反射されて再び集光領域の光Ｂとしてリサイクルされながら集光される。
【００５７】
このように構成される本発明の実施の形態３によるプリズムシートは、サイドローブ領域に進行する光Ｃ、すなわち光漏れを生じさせる光が透過する集光フィルム３５２上に反射パターン３５６を形成することによって、サイドローブ領域の光Ｃを除去し光漏れ現象を防止するとともに、光の集光効率及び輝度対称性を向上させ、視野角を向上させることができる。
【００５８】
実施の形態４．
図１２は、本発明の実施の形態４によるプリズムシートを示す図で、図１３は、光の進行方向を示す図１２のＩＶ−ＩＶ'線断面図である。
【００５９】
図１２及び図１３を参照すると、本発明の実施の形態４によるプリズムシートは、背面から光が入射する集光フィルム４５２と、集光フィルム４５２上にピラミッド状に形成された複数のプリズム山４５４と、隣接するプリズム山４５４の境界（プリズム谷）に対応するように集光フィルム４５２の背面に形成された複数の反射パターン４５６と、を備える。
【００６０】
このように構成される本発明の実施の形態４によるプリズムシートは、複数の反射パターン４５６が集光フィルム４５２の背面に形成されている点以外は、図９に示す本発明の実施の形態３と同様に構成される。
【００６１】
したがって、本発明の実施の形態４によるプリズムシートは、図１３に示すように、サイドローブ領域に進行する光Ｃ、すなわち光漏れを生じさせる光が透過される集光フィルム４５２の背面に反射パターン４５６を形成することによって、サイドローブ領域の光Ｃを除去し光漏れ現象を防止するとともに、光の集光効率及び輝度対称性を向上させ、視野角を向上させることができる。
【００６２】
実施の形態５．
図１４は、本発明の実施の形態５によるバックライトユニットを示す断面図である。
【００６３】
図１４を参照すると、本発明の実施の形態５によるバックライトユニットは、光を発するランプ１１０と、入射面１２２を介してランプ１１０から入射される光を導く導光板１２０と、導光板１２０の入射面１２２及びランプ１１０を取り囲むように設置されるランプハウジング１１２と、導光板１２０の下面に配置される反射板１３０と、導光板１２０上に配置され、導光板１２０を経由した光を拡散させる拡散シート１４０と、拡散シート１４０を経由した光を集光するプリズムシート１５０と、を備える。
【００６４】
ここで、ランプ１１０は、主として冷陰極蛍光ランプを使用する。このランプ１１０は、インバータ（図示せず）からのランプ駆動電圧で点灯され、導光板１２０の側面に形成された入射面１２２に光を照射する。
【００６５】
また、前記ランプハウジング１１２は、ランプ１１０及び導光板１２０の入射面１２２を取り囲むように導光板１２０の側面に設置される。このランプハウジング１１２は、内面に反射面が形成されており、ランプ１１０からの光を導光板１２０の入射面１２２側に反射させる役割を担う。
【００６６】
また、導光板１２０は、ランプ１１０から入射された光がランプ１１０から遠く離れた箇所まで至るようにするとともに、入射される光を拡散シート１４０側に導く。
【００６７】
すなわち、導光板１２０の下面に印刷式パターンが形成されており、入射面１２２からの光が、傾斜した背面から所定傾斜角で反射されて拡散シート１４０側に均一に進むようになる。
【００６８】
また、反射板１３０は、導光板１２０の下面に配置され、導光板１２０の背面を通って反射板自体に入射される光を導光板１２０側に再反射することによって、光損失を低減する役割を担う。
【００６９】
また、前記拡散シート１４０は、導光板１２０を経由した光を全領域に拡散しプリズムシート１５０に照射する。
【００７０】
また、プリズムシート１５０は、背面から光が入射される集光フィルム１５２と、集光フィルム１５２上に頂点を持つように縞状に並んで形成された複数のプリズム山１５４と、隣接するプリズム山１５４の境界（プリズム谷）に対応するように集光フィルム１５２に形成された複数の反射パターン１５６と、を備える。
【００７１】
このように構成されるプリズムシート１５０は、図５に示す本発明の実施の形態１によるプリズムシートと同様に構成され、これについての詳細な説明は省くものとする。
【００７２】
このように構成される本発明の実施の形態５によるバックライトユニットは、プリズムシート１５０のサイドローブ領域に進行する光、すなわち光漏れを生じさせる光が透過する集光フィルム１５２上に反射パターン１５６を形成することによって、サイドローブ領域の光を除去し光漏れ現象を防止するとともに、光の集光効率及び輝度対称性を向上させ、視野角を向上させることができる。
【００７３】
一方、本発明の実施の形態５によるバックライトユニットにおいてプリズムシート１５０は、図７、図９及び図１２に示すプリズムシートのいずれか一つとすればよい。
【００７４】
実施の形態６．
図１５は、本発明の実施の形態６によるバックライトユニットを示す断面図である。
【００７５】
図１５に示すように、本発明の実施の形態６によるバックライトユニットは、平板形態の導光板２２０と、導光板２２０の両側面のそれぞれの入射面２２２ａ，２２２ｂに対向するようにして配置される少なくとも一つのランプ２１０ａ，２１０ｂと、導光板２２０の入射面２２２ａ，２２２ｂ及びランプ２１０ａ，２１０ｂを取り囲むように設置されるランプハウジング２１２ａ、２１２ｂと、導光板２２０の下面に配置される反射板１３０と、導光板２２０上に配置され、導光板２２０を経由した光を拡散させる拡散シート１４０と、拡散シート１４０を経由した光を集光するプリズムシート１５０と、を備える。
【００７６】
このように構成される本発明の実施の形態６によるバックライトユニットは、導光板２２０と導光板２２０の両側面のそれぞれに対向して配置される二つのランプ２１０ａ，２１０ｂ以外は、図１４に示す本発明の実施の形態５によるバックライトユニットと同様に構成される。
【００７７】
このように構成される本発明の実施の形態６によるバックライトユニットは、少なくとも二つのランプ２１０ａ，２１０ｂから導光板２２０の両側面に光を入射させることによって、外部に出射される光の輝度を大きく向上させることができる。
【００７８】
また、本発明の実施の形態６によるバックライトユニットは、プリズムシート１５０のサイドローブ領域に進行する光、すなわち光漏れを生じさせる光が透過する集光フィルム１５２上に反射パターン１５６を形成することによって、サイドローブ領域の光を除去し光漏れ現象を防止するとともに、光の集光効率及び輝度対称性を向上させ、視野角を向上させることができる。
【００７９】
一方、本発明の実施の形態６によるバックライトユニットにおいてプリズムシート１５０は、図７、図９及び図１２に示すプリズムシートの中いずれか一つとすればよい。
【００８０】
実施の形態７．
図１６は、本発明の実施の形態７によるバックライトユニットを示す断面図である。
【００８１】
図１６を参照すると、本発明の実施の形態７によるバックライトユニットは、光を発する複数のランプ３１０と、複数のランプ３１０を収納するボトムカバー３１２と、ボトムカバー３１２の上面を覆い、複数のランプ３１０から入射される光を全領域に拡散させる拡散板３２０と、拡散板３２０上に配置されて拡散板３２０からの光を集光するプリズムシート１５０と、を備える。
【００８２】
ここで、各ランプ３１０は、通常、冷陰極蛍光ランプを使用する。このランプ３１０は、インバータ（図示せず）からのランプ駆動電圧で点灯され、拡散板３２０の背面に光を照射する。
【００８３】
また、ボトムカバー３１２は、複数のランプ３１０を支持及び収納する。このボトムカバー３１２の内壁には、複数のランプ３１０から入射される光を拡散板３２０側に反射させる反射シート（図示せず）が付着される。
【００８４】
拡散板３２０は、ボトムカバー３１２の上面を覆うように配置されて、複数のランプ３１０及びボトムカバー３１２の反射シートから入射される光を全領域に拡散しプリズムシート１５０に照射する。
【００８５】
プリズムシート１５０は、拡散板３２０から光が入射される集光フィルム１５２と、集光フィルム１５２上に頂点を持つように縞状に並んで形成された複数のプリズム山１５４と、隣接するプリズム山１５４の境界（プリズム谷）に対応するように集光フィルム１５２に形成された複数の反射パターン１５６と、を備える。
【００８６】
このようなプリズムシート１５０は、図５に示す本発明の実施の形態１によるプリズムシートと同様に構成される。
【００８７】
このように構成される本発明の実施の形態７によるバックライトユニットは、複数のランプ３１０からの光を拡散板３２０の背面に直接照射することによって、外部に出射される光の輝度を大きく向上させることができる。また、本発明の実施の形態７によるバックライトユニットは、プリズムシート１５０のサイドローブ領域に進行する光、すなわち光漏れを生じさせる光が透過される集光フィルム１５２上に反射パターン１５６を形成することによって、サイドローブ領域の光を除去し光漏れ現象を防止するとともに、光の集光効率及び輝度対称性を向上させ、視野角を向上させることができる。
【００８８】
一方、本発明の実施の形態７によるバックライトユニットにおいてプリズムシート１５０は、図７、図９及び図１２に示すプリズムシートのいずれか一つとすればよい。
【００８９】
なお、上述した本発明の実施の形態５乃至実施の形態７によるバックライトユニットは、液晶表示装置の光源として使用することができる。
【００９０】
以上、具体的な実施形態及び添付の図面を挙げて説明してきたが、これに限定されず、本発明の技術的思想を逸脱しない範囲内で様々な置換、変形及び変更が可能であるということは、当分野で通常の知識を持つ者にとっては明白である。
【図面の簡単な説明】
【００９１】
【図１】従来技術によるバックライトユニットを示す図である。
【図２】図１に示すプリズムシートを示す斜視図である。
【図３】図２に示すプリズム山の光特性を示す図である。
【図４】図２に示すプリズムシートの光透過及び角分布を示す図である。
【図５】本発明の実施の形態１によるプリズムシートを示す図面
【図６】光の進行方向を示す図５のＩ−Ｉ'線断面図である。
【図７】本発明の実施の形態２によるプリズムシートを示す図である。
【図８】光の進行方向を示す図７のＩＩ−ＩＩ'線断面図である。
【図９】本発明の実施の形態３によるプリズムシートを示す斜視図である。
【図１０】本発明の実施の形態３によるプリズムシートを示す平面図である。
【図１１】光の進行方向を示す図９のＩＩＩ−ＩＩＩ'線断面図である。
【図１２】本発明の実施の形態４によるプリズムシートを示す図である。
【図１３】光の進行方向を示す図１２のＩＶ−ＩＶ'線断面図である。
【図１４】本発明の実施の形態５によるバックライトユニットを示す断面図である。
【図１５】本発明の実施の形態６によるバックライトユニットを示す断面図である。
【図１６】本発明の実施の形態７によるバックライトユニットを示す断面図である。
【符号の説明】
【００９２】
１０  ランプ、１２  ランプハウジング、２０  導光板、２２  入射面、３０  反射面、４０  拡散シート、５０  プリズムシート、１１０  ランプ、１２０  導光板、１２２  入射面、１３０  反射板、１４０  拡散シート、１５０  プリズムシート、１５２  集光フィルム、１５４  プリズム山、１５６  反射パターン、２１０ａ，２１０ｂ  ランプ、２２０  導光板、２２２ａ，２２２ｂ  入射面、２５２  集光フィルム、２５４  プリズム山、２５６  反射パターン、３１０  ランプ、３１２  ボトムカバー、３５２  集光フィルム、３５４  プリズム山、３５６  反射パターン、４５２  集光フィルム、４５４  プリズム山、４５６  反射パターン。
【図１】
2007011264.tif 000004
【図２】
2007011264.tif 000005
【図３】
2007011264.tif 000006
【図４】
2007011264.tif 000007
【図５】
2007011264.tif 000008
【図６】
2007011264.tif 000009
【図７】
2007011264.tif 000010
【図８】
2007011264.tif 000011
【図９】
2007011264.tif 000012
【図１０】
2007011264.tif 000013
【図１１】
2007011264.tif 000014
【図１２】
2007011264.tif 000015
【図１３】
2007011264.tif 000016
【図１４】
2007011264.tif 000017
【図１５】
2007011264.tif 000018
【図１６】
2007011264.tif 000019